(57)【要約】【課題】複数のアプリケーションの中から所望のアプリケーションの簡単選択を可能にする通信装置を提供すること。【解決手段】通信装置は、情報記憶媒体と通信する通信手段と、前記通信手段による前記情報記憶媒体との通信時間に応じてアプリケーションの切り換えを制御する制御手段とを備えている。【選択図】図５
2011197958.tif 000002
【特許請求の範囲】
【請求項１】
情報記憶媒体と通信する通信手段と、
前記通信手段による前記情報記憶媒体との通信時間に応じてアプリケーションの切り換えを制御する制御手段と、
を備えた通信装置。
【請求項２】
前記制御手段は、前記情報記録媒体との所定時間以上の連続通信に対応して第１のアプリケーションを選択し、前記情報記録媒体との所定時間以上の連続通信不成立に対応して前記第１のアプリケーションに替えて第２のアプリケーションを選択候補として選出することを特徴とする請求項１に記載の通信装置。
【請求項３】
前記制御手段は、前記情報記録媒体との所定時間以上の連続通信に対応して第１のアプリケーションによる第１の電子マネー決済を選択し、前記情報記録媒体との所定時間以上の連続通信不成立に対応して前記第１のアプリケーションに替えて第２のアプリケーションを選択候補として選出し、前記第２のアプリケーションの選出後の前記情報記録媒体との所定時間以上の連続通信に対応して前記第２のアプリケーションによる第２の電子マネー決済を選択することを特徴とする請求項１に記載の通信装置。
【請求項４】
前記制御手段は、前記情報記録媒体との所定時間以上の連続通信に対応して第１のアプリケーションによる第１の電子マネー決済を選択するとともに、前記情報記憶媒体に対して前記第１の電子マネー決済を指示し、前記情報記録媒体との所定時間以上の連続通信不成立に対応して前記第１のアプリケーションに替えて第２のアプリケーションを選択候補として選出し、前記第２のアプリケーションの選出後の前記情報記録媒体との所定時間以上の連続通信に対応して前記第２のアプリケーションによる第２の電子マネー決済を選択するとともに、前記情報記憶媒体に対して前記第２の電子マネー決済を指示することを特徴とする請求項１に記載の通信装置。
【請求項５】
前記制御手段は、第１のアプリケーションに関する第１の情報を表示するための第１の表示制御情報を出力し、前記第１の表示制御情報の出力期間中における、前記情報記録媒体との所定時間以上の連続通信に対応して前記第１のアプリケーションを選択し、前記情報記録媒体との所定時間以上の連続通信不成立に対応して第２のアプリケーションに関する第２の情報を表示するための第２の表示制御情報を出力し、前記第２の表示制御情報の出力期間中における、前記情報記録媒体との所定時間以上の連続通信に対応して前記第２のアプリケーションを選択することを特徴とする請求項１に記載の通信装置。
【請求項６】
前記制御手段は、前記情報記憶媒体との通信開始に対応して前記第１の表示制御情報を出力することを特徴とする請求項５に記載の通信装置。
【請求項７】
前記制御手段は、
前記通信手段による前記情報記憶媒体との通信結果から、前記情報記憶媒体が対応可能なアプリケーションの種類を検出し、
前記情報記憶媒体が第１及び第２のアプリケーションに対応可能な場合には、前記情報記憶媒体との通信開始に対応して前記第１のアプリケーションに関する第１の情報を表示するための第１の表示制御情報を出力し、前記第１の表示制御情報の出力期間中における、前記情報記録媒体との所定時間以上の連続通信に対応して前記第１のアプリケーションを選択し、前記情報記録媒体との所定時間以上の連続通信不成立に対応して前記第２のアプリケーションに関する第２の情報を表示するための第２の表示制御情報を出力し、前記第２の表示制御情報の出力期間中における、前記情報記録媒体との所定時間以上の連続通信に対応して前記第２のアプリケーションを選択し、
前記情報記憶媒体が第１のアプリケーションに対応不能で且つ第２のアプリケーションに対応可能な場合には、前記情報記憶媒体との通信開始に対応して前記第２の表示制御情報を出力し、前記第２の表示制御情報の出力期間中における、前記情報記録媒体との所定時間以上の連続通信に対応して前記第２のアプリケーションを選択する、
ことを特徴とする請求項１に記載の通信装置。
【請求項８】
通信装置と通信する通信手段と、
前記通信手段による前記通信装置との通信時間に対応してアプリケーションの切り換えを制御する制御手段と、
を備えた情報記憶媒体。
【請求項９】
通信媒体と通信し、
前記通信装置との通信時間に対応してアプリケーションの切り換えを制御することを特徴とする通信方法。
【発明の詳細な説明】
【技術分野】
【０００１】
本発明は、携帯電話、ＩＣカードなどの情報記憶媒体と通信する通信装置及び通信方法に関する。
【背景技術】
【０００２】
有料道路等に適用されている距離料金収受システムは、通行券を用いた運用を実施している。つまり、距離料金収受システムにより、入口ゲートに設置された通行券発行装置により通行券が発券され、出口ゲートに設置された料金自動収受装置で発券した通行券が回収されるとともに、回収される通行券に基づき所定の通行料金が収受される。発券される通行券には、入口情報や車種情報等が記録されている。また、料金自動収受装置は、硬貨、紙幣、クレジットカードなどによる通行料金の支払いに対応している。
【０００３】
また、上記した通行券による通行料金の収受以外に、ＥＴＣ（Ｅｌｅｃｔｒｏｎｉｃ Ｔｏｌｌ Ｃｏｌｌｅｃｔｉｏｎ）システムが急速に普及している。ＥＴＣシステムは、車両に設置された車載装置と料金所に設置された通信装置との間の無線通信により、車両の確認、および料金収受を行う。
【０００４】
さらに、近年では、電子マネーによる通行料金収受が要望されている。例えば、入口ゲート及び出口ゲートに電子マネーリーダライタ（以下、リーダライタ）を設置する。車両の運転手等は、電子マネー利用情報（例えばＩＤ）等が記憶された携帯電話又はＩＣカード等をリーダライタにかざす。これにより、リーダライタは、携帯電話等に記憶された電子マネー利用情報を読み取り、料金収受サーバは、読み取った電子マネー利用情報及び電子マネー利用情報に対応付けられた電子マネー残額等に基づき通行料金を収受する。
【０００５】
電子マネー規格は、Edy（登録商標）、Suica（登録商標）、Waon（登録商標）、及びnanaco（登録商標）など複数存在する。例えば、１台の携帯電話等が、複数の電子マネー規格に対応した複数の電子マネーアプリケーションを記憶し、これら複数の電子マネーアプリケーションを選択的に実行することができる。
【０００６】
例えば、複数種類の電子マネーに対応した複数の通信エリアを備えた電子マネー決済端末が開示されている（特許文献１参照）。この電子マネー決済端末は、複数の通信エリアのうちのどの通信エリアと電子マネー媒体とが通信したかによって電子マネーの種別を決定する。
【先行技術文献】
【特許文献】
【０００７】
【特許文献１】特開２００９−２５８８５３号公報
【発明の概要】
【発明が解決しようとする課題】
【０００８】
上記したように電子マネーによる通行料金収受の場合、例えば、ユーザは、ハンドルを握りながら、片手で、車両の窓から携帯電話等をリーダライタに向けて差し出し、携帯電話等をリーダライタにかざす。そのため、リーダライタの通信エリアを比較的大きくして、携帯電話等をかざし易くするなどの工夫が必要となる。
【０００９】
このような使用環境で、上記特許文献１に開示された電子マネー決済端末を適用した場合、操作性があまりよくないことがある。例えば、車両の停止位置等によっては、運転者等が若干無理な姿勢を取らないと、複数の通信エリアの中の所定の通信エリアに対して携帯電話等をかざすことができない場合があり、このような状況では操作性があまりよくない。
【００１０】
本発明の目的は、複数のアプリケーションの中から所望のアプリケーションの簡単選択を可能にする通信装置、情報記憶媒体、及び通信方法を提供することにある。
【課題を解決するための手段】
【００１１】
本発明の一実施形態に係る通信装置は、情報記憶媒体と通信する通信手段と、前記通信手段による前記情報記憶媒体との通信時間に応じてアプリケーションの切り換えを制御する制御手段とを備える。
【００１２】
本発明の一実施形態に係る情報記憶媒体は、通信装置と通信する通信手段と、前記通信手段による前記通信装置との通信時間に対応してアプリケーションの切り換えを制御する制御手段とを備える。
【００１３】
本発明の一実施形態に係る通信方法は、通信媒体と通信し、前記通信装置との通信時間に対応してアプリケーションの切り換えを制御する。
【発明の効果】
【００１４】
本発明によれば、複数のアプリケーションの中から所望のアプリケーションの簡単選択を可能にする通信装置、情報記憶媒体、及び通信方法を提供できる。
【図面の簡単な説明】
【００１５】
【図１】本発明の一実施形態に係る通信システムの概略を示す図である。
【図２】図１に示す通信システムの機能ブロック図である。
【図３】リーダライタの概略構成を示すブロック図である。
【図４】情報記憶媒体の電子マネー決済処理部の概略構成を示すブロック図である。
【図５】電子マネーの種別選択処理の一例を示すフローチャートである。
【発明を実施するための形態】
【００１６】
以下、図面を参照し、本発明の実施形態について説明する。
【００１７】
図１は、本発明の一実施形態に係る通信システムの概略を示す図である。また、図２は、図１に示す通信システムの機能ブロック図である。図１及び図２に示す通信システムは、例えば、電子マネーによる通行料金収受システムである。
【００１８】
図２に示すように、通信システムは、端末１（通信装置）及び情報記憶媒体２（携帯電話、ＩＣカードなど）により構成される。端末１は、例えば有料道路の入場口又は出場口に設置され、情報記憶媒体２は車両の運転手等が所持する。例えば、端末１は、制御部１１、表示部１２、キーボード１３、リーダライタ１４、テンキー１５を備えている。
【００１９】
リーダライタ１４は、情報記憶媒体２と接触又は非接触で、情報記憶媒体２に記憶された記憶された電子マネー利用情報（例えばＩＤ）を読み取る。また、リーダライタ１４は、情報記憶媒体２に記憶された通行履歴情報（入場履歴情報）を読み取ったり、情報記憶媒体２に対して通行履歴情報（入場履歴情報、出場履歴情報）を書き込んだりすることもできる。
【００２０】
制御部１１は、複数の通信方式及び複数のアプリケーション（例えば複数の電子マネーアプリケーション）を選択的に実行することができる。例えば、制御部１１は、情報記憶媒体との通信時間に応じてアプリケーションの切り換えを制御する制御手段として機能する。制御部１１によるアプリケーションの切り換え制御については後に詳しく説明する。表示部１２は、情報記憶媒体２との通信結果及び認証結果等を表示する。また、表示部１２は、複数のアプリケーションの中から選出された所定のアプリケーションによる取引案内等を表示することもできる。キーボード１３は、制御部１１に対して文字等を入力する。テンキー１５は、制御部１１に対して数字等を入力する。
【００２１】
図３は、リーダライタ１４の概略構成を示すブロック図である。図３に示すように、リーダライタ１４は、通信Ｉ／Ｆ１４２、ＣＰＵ１４３、データメモリ（不揮発性メモリ）１４４、ＲＡＭ１４５、ＲＯＭ１４６を備えている。ＣＰＵ１４３は、情報記憶媒体２に対するコマンド等の送信を制御したり、情報記憶媒体２からのレスポンスを検出したりする。
【００２２】
図４は、情報記憶媒体２の電子マネー決済処理部の概略構成を示すブロック図である。情報記憶媒体２は、携帯電話又はＩＣカード等であり、通信Ｉ／Ｆ部２１、制御部２２、ＲＡＭ２３、ＲＯＭ２４、不揮発性メモリ（ＥＥＰＲＯＭ、ＦＲＡＭ、ＦＬＡＳＨ等）２５を備えている。
【００２３】
例えば、制御部２２は、ＲＯＭ２４に記憶されたＩＣカードプログラム等に基づき動作し、端末１からのコマンド等の受信を制御したり、受信したコマンド等を解釈したり、端末１に対するレスポンス等の送信を制御したりする。例えば、制御部２２は、端末１（リーダライタ１４）との通信時間に応じてアプリケーションの切り換えを制御する制御手段として機能する。制御部２２によるアプリケーションの切り換え制御については後に詳しく説明する。
【００２４】
ＲＡＭ２３は、ワーキングメモリとして機能し、コマンドの実行に対応した実行結果等を記憶する。また、不揮発性メモリ２５は、ＲＡＭに記憶された実行結果等を記憶（バックアップ）する。ＲＯＭ２４は、制御部２２により実行されるＩＣカードプログラムを保持する。
【００２５】
次に、図５に示すフローチャートを参照し、電子マネーの種別選択処理の一例について説明する。
【００２６】
例えば、車両の運転手は、リーダライタ１４に対して車両を近づけて停止させて、車両の窓から手を伸ばしてリーダライタ１４に対して情報記憶媒体２をかざす（ＳＴ１）。
【００２７】
これに対応して、リーダライタ１４と情報記憶媒体２とが通信を開始し、制御部１１は、表示部１２に対して第１の電子マネー（第１の電子マネーアプリケーション）に関する第１の情報を表示するための第１の表示制御情報を出力する。表示部１２は、第１の表示制御情報に基づき、第１の情報を表示する（ＳＴ２）。例えば、表示部１２は、第１の電子マネー（第１の電子マネーアプリケーション）により電子マネー決済可能である旨、そのまま継続して情報記憶媒体２をかざし続けることにより第１の電子マネーによる電子マネー決済を実行することができる旨、及び情報記憶媒体２をリーダライタ１４から離すことにより別の電子マネー決済を選択することが可能である旨を表示する（ＳＴ２）。
【００２８】
その後、端末１（制御部１１）が、リーダライタ１４と情報記憶媒体２との所定時間以上（例えば３秒〜１０秒）の連続通信を検出すると（ＳＴ３、ＹＥＳ）、第１の電子マネー（第１の電子マネーアプリケーション）を選択（確定）する（ＳＴ１０）。つまり、第１の表示制御情報の出力期間中における、リーダライタ１４と情報記憶媒体２との所定時間以上の連続通信に対応して、端末１（制御部１１）は、第１の電子マネー（第１の電子マネーアプリケーション）による第１の電子マネー決済を選択（確定）する。この場合、例えば、端末１（制御部１１）は、第１の電子マネーアプリケーションを起動するとともに、さらに、端末１（制御部１１）は、リーダライタ１４を介して情報記憶媒体２に対して第１の電子マネー決済（第１の電子マネーアプリケーションの起動）を指示する。情報記憶媒体２（制御部２２）は、第１の電子マネー決済の指示を受信し、第１の電子マネーアプリケーションを起動する。
【００２９】
或いは、情報記憶媒体２（制御部２２）が、リーダライタ１４と情報記憶媒体２との所定時間以上の連続通信を検出すると（ＳＴ３、ＹＥＳ）、第１の電子マネー（第１の電子マネーアプリケーション）を選択（確定）する（ＳＴ１０）。この場合、例えば、情報記憶媒体２（制御部２２）は、第１の電子マネーアプリケーションを起動するとともに、さらに、情報記憶媒体２（制御部２２）は、通信Ｉ／Ｆ１４２を介して端末１（制御部１１）に対して第１の電子マネー決済（第１の電子マネーアプリケーションの起動）を指示する。端末１（制御部１１）は、第１の電子マネー決済の指示を受信し、第１の電子マネーアプリケーションを起動する。
【００３０】
上記したように、端末１及び情報記憶媒体２の両者が第１の電子マネーアプリケーションを起動し、第１の電子マネーアプリケーションによる第１の電子マネー決済が実行される。
【００３１】
なお、制御部１１が、第１の電子マネー（第１の電子マネーアプリケーション）を選択（確定）前（直前）に、制御部１１からの指示に基づき、表示部１２が、まもなく第１の電子マネーによる電子決済が確定する旨、第１の電子マネーによる電子決済を希望する場合はそのまま情報記憶媒体２をかざし続ける旨、第１の電子マネーによる電子決済を希望しない場合は情報記憶媒体２をリーダライタ１４から離す（遠ざける）旨を表示するようにしてもよい。
【００３２】
制御部１１が、リーダライタ１４と情報記憶媒体２との所定時間以上の連続通信の不成立を検出すると（ＳＴ３、ＮＯ）、つまり、リーダライタ１４と情報記憶媒体２との所定時間以上の連続通信の成立前に、リーダライタ１４から情報記憶媒体２が離されると、制御部１１は、第１の電子マネー（第１の電子マネーアプリケーション）に替えて第２の電子マネー（第２の電子マネーアプリケーション）を選択候補として選出し、例えば表示部１２に対して第２の電子マネー（第２の電子マネーアプリケーション）に関する第２の情報を表示するための第２の表示制御情報を出力する。表示部１２は、第２の表示制御情報に基づき、第２の情報を表示する（ＳＴ４）。例えば、表示部１２は、第２の電子マネー（第２の電子マネーアプリケーション）により電子マネー決済可能である旨、そのまま継続して情報記憶媒体２をかざし続けることにより第２の電子マネーによる電子マネー決済を実行することができる旨、及び情報記憶媒体２をリーダライタ１４から離すことにより別の電子マネー決済を選択することが可能である旨を表示する（ＳＴ４）
その後、端末１（制御部１１）が、リーダライタ１４と情報記憶媒体２との所定時間以上の連続通信を検出すると（ＳＴ５、ＹＥＳ）、第２の電子マネー（第２の電子マネーアプリケーション）を選択（確定）する（ＳＴ１０）。つまり、第２の表示制御情報の出力期間中における、リーダライタ１４と情報記憶媒体２との所定時間以上の連続通信に対応して、端末１（制御部１１）は、第２の電子マネー（第２の電子マネーアプリケーション）による第２の電子マネー決済を選択（確定）する。この場合、例えば、端末１（制御部１１）は、第２の電子マネーアプリケーションを起動するとともに、さらに、端末１（制御部１１）は、リーダライタ１４を介して情報記憶媒体２に対して第２の電子マネー決済（第２の電子マネーアプリケーションの起動）を指示する。情報記憶媒体２（制御部２２）は、第２の電子マネー決済の指示を受信し、第２の電子マネーアプリケーションを起動する。
【００３３】
或いは、情報記憶媒体２（制御部２２）が、リーダライタ１４と情報記憶媒体２との所定時間以上の連続通信を検出すると（ＳＴ５、ＹＥＳ）、第２の電子マネー（第２の電子マネーアプリケーション）を選択（確定）する（ＳＴ１０）。この場合、例えば、情報記憶媒体２（制御部２２）は、第２の電子マネーアプリケーションを起動するとともに、さらに、情報記憶媒体２（制御部２２）は、通信Ｉ／Ｆ１４２を介して端末１（制御部１１）に対して第２の電子マネー決済（第２の電子マネーアプリケーションの起動）を指示する。端末１（制御部１１）は、第２の電子マネー決済の指示を受信し、第２の電子マネーアプリケーションを起動する。
【００３４】
上記したように、端末１及び情報記憶媒体２の両者が第２の電子マネーアプリケーションを起動し、第２の電子マネーアプリケーションによる第２の電子マネー決済が実行される。
【００３５】
なお、第２の電子マネー（第２の電子マネーアプリケーション）を選択（確定）前（直前）に、表示部１２が、まもなく第２の電子マネーによる電子決済が確定する旨、第２の電子マネーによる電子決済を希望する場合はそのまま情報記憶媒体２をかざし続ける旨、第２の電子マネーによる電子決済を希望しない場合は情報記憶媒体２をリーダライタ１４から離す（遠ざける）旨を表示するようにしてもよい。
【００３６】
制御部１１が、リーダライタ１４と情報記憶媒体２との所定時間以上の連続通信の不成立を検出すると（ＳＴ５、ＮＯ）、つまり、第２の情報が表示された後（ＳＴ４）、リーダライタ１４と情報記憶媒体２との所定時間以上の連続通信の成立前に、リーダライタ１４から情報記憶媒体２が離されると、制御部１１は、第２の電子マネー（第２の電子マネーアプリケーション）に替えて第３の電子マネー（第３の電子マネーアプリケーション）を選択候補として選出し、例えば表示部１２に対して第３の電子マネー（第３の電子マネーアプリケーション）に関する第３の情報を表示するための第３の表示制御情報を出力する。表示部１２は、第３の表示制御情報に基づき、第３の情報を表示する（ＳＴ６）。例えば、表示部１２は、第３の電子マネー（第３の電子マネーアプリケーション）により電子マネー決済可能である旨、そのまま継続して情報記憶媒体２をかざし続けることにより第３の電子マネーによる電子マネー決済を実行することができる旨、及び情報記憶媒体２をリーダライタ１４から離すことにより別の電子マネー決済を選択することが可能である旨を表示する（ＳＴ６）。
【００３７】
その後、端末１（制御部１１）が、リーダライタ１４と情報記憶媒体２との所定時間以上の連続通信を検出すると（ＳＴ７、ＹＥＳ）、第３の電子マネー（第３の電子マネーアプリケーション）を選択（確定）する（ＳＴ１０）。つまり、第３の表示制御情報の出力期間中における、リーダライタ１４と情報記憶媒体２との所定時間以上の連続通信に対応して、端末１（制御部１１）は、第３の電子マネー（第３の電子マネーアプリケーション）による第３の電子マネー決済を選択（確定）する。この場合、例えば、端末１（制御部１１）は、第３の電子マネーアプリケーションを起動するとともに、さらに、端末１（制御部１１）は、リーダライタ１４を介して情報記憶媒体２に対して第３の電子マネー決済（第３の電子マネーアプリケーションの起動）を指示する。情報記憶媒体２（制御部２２）は、第３の電子マネー決済の指示を受信し、第３の電子マネーアプリケーションを起動する。
【００３８】
或いは、情報記憶媒体２（制御部２２）が、リーダライタ１４と情報記憶媒体２との所定時間以上の連続通信を検出すると（ＳＴ７、ＹＥＳ）、第３の電子マネー（第３の電子マネーアプリケーション）を選択（確定）する（ＳＴ１０）。この場合、例えば、情報記憶媒体２（制御部２２）は、第３の電子マネーアプリケーションを起動するとともに、さらに、情報記憶媒体２（制御部２２）は、通信Ｉ／Ｆ１４２を介して端末１（制御部１１）に対して第３の電子マネー決済（第３の電子マネーアプリケーションの起動）を指示する。端末１（制御部１１）は、第３の電子マネー決済の指示を受信し、第３の電子マネーアプリケーションを起動する。
【００３９】
上記したように、端末１及び情報記憶媒体２の両者が第３の電子マネーアプリケーションを起動し、第３の電子マネーアプリケーションによる第３の電子マネー決済が実行される。
【００４０】
なお、第３の電子マネー（第３の電子マネーアプリケーション）を選択（確定）前（直前）に、表示部１２が、まもなく第３の電子マネーによる電子決済が確定する旨、第３の電子マネーによる電子決済を希望する場合はそのまま情報記憶媒体２をかざし続ける旨、第３の電子マネーによる電子決済を希望しない場合は情報記憶媒体２をリーダライタ１４から離す（遠ざける）旨を表示するようにしてもよい。
【００４１】
制御部１１が、リーダライタ１４と情報記憶媒体２との所定時間以上の連続通信の不成立を検出すると（ＳＴ７、ＮＯ）、つまり、第３の情報が表示された後（ＳＴ６）、リーダライタ１４と情報記憶媒体２との所定時間以上の連続通信の成立前に、リーダライタ１４から情報記憶媒体２が離されると、制御部１１は、第３の電子マネー（第３の電子マネーアプリケーション）に替えて第４の電子マネー（第４の電子マネーアプリケーション）を選択候補として選出し、例えば表示部１２に対して第４の電子マネー（第４の電子マネーアプリケーション）に関する第４の情報を表示するための第４の表示制御情報を出力する。表示部１２は、第３の表示制御情報に基づき、第４の情報を表示する（ＳＴ８）。例えば、表示部１２は、第４の電子マネー（第４の電子マネーアプリケーション）により電子マネー決済可能である旨、そのまま継続して情報記憶媒体２をかざし続けることにより第４の電子マネーによる電子マネー決済を実行することができる旨、及び情報記憶媒体２をリーダライタ１４から離すことにより別の電子マネー決済を選択することが可能である旨を表示する（ＳＴ８）。
【００４２】
その後、端末１（制御部１１）が、リーダライタ１４と情報記憶媒体２との所定時間以上の連続通信を検出すると（ＳＴ９、ＹＥＳ）、第４の電子マネー（第４の電子マネーアプリケーション）を選択（確定）する（ＳＴ１０）。つまり、第４の表示制御情報の出力期間中における、リーダライタ１４と情報記憶媒体２との所定時間以上の連続通信に対応して、端末１（制御部１１）は、第４の電子マネー（第４の電子マネーアプリケーション）による第４の電子マネー決済を選択（確定）する。この場合、例えば、端末１（制御部１１）は、第３の電子マネーアプリケーションを起動するとともに、さらに、端末１（制御部１１）は、リーダライタ１４を介して情報記憶媒体２に対して第４の電子マネー決済（第４の電子マネーアプリケーションの起動）を指示する。情報記憶媒体２（制御部２２）は、第４の電子マネー決済の指示を受信し、第４の電子マネーアプリケーションを起動する。
【００４３】
或いは、情報記憶媒体２（制御部２２）が、リーダライタ１４と情報記憶媒体２との所定時間以上の連続通信を検出すると（ＳＴ９、ＹＥＳ）、第４の電子マネー（第４の電子マネーアプリケーション）を選択（確定）する（ＳＴ１０）。この場合、例えば、情報記憶媒体２（制御部２２）は、第４の電子マネーアプリケーションを起動するとともに、さらに、情報記憶媒体２（制御部２２）は、通信Ｉ／Ｆ１４２を介して端末１（制御部１１）に対して第４の電子マネー決済（第４の電子マネーアプリケーションの起動）を指示する。端末１（制御部１１）は、第４の電子マネー決済の指示を受信し、第４の電子マネーアプリケーションを起動する。
【００４４】
上記したように、端末１及び情報記憶媒体２の両者が第４の電子マネーアプリケーションを起動し、第４の電子マネーアプリケーションによる第４の電子マネー決済が実行される。
【００４５】
なお、第４の電子マネー（第４の電子マネーアプリケーション）を選択（確定）前（直前）に、表示部１２が、まもなく第４の電子マネーによる電子決済が確定する旨、第４の電子マネーによる電子決済を希望する場合はそのまま情報記憶媒体２をかざし続ける旨、第４の電子マネーによる電子決済を希望しない場合は情報記憶媒体２をリーダライタ１４から離す（遠ざける）旨を表示するようにしてもよい。
【００４６】
制御部１１は、リーダライタ１４と情報記憶媒体２との所定時間以上の連続通信の不成立を検出すると（ＳＴ９、ＮＯ）、つまり、第４の情報が表示された後（ＳＴ８）、リーダライタ１４と情報記憶媒体２との所定時間以上の連続通信の成立前に、リーダライタ１４から情報記憶媒体２が離されると、制御部１１は、第４の電子マネー（第４の電子マネーアプリケーション）に替えて第１の電子マネー（第１の電子マネーアプリケーション）を選択候補として選出し、例えば表示部１２に対して第１の電子マネー（第１の電子マネーアプリケーション）に関する第１の情報を表示するための第１の表示制御情報を出力する。
【００４７】
上記したように、端末１は、情報記憶媒体２との通信時間に応じて電子マネーアプリケーションの切り換えを制御する。或いは、情報記憶媒体２は、端末１（リーダライタ１４）との通信時間に応じて電子マネーアプリケーションの切り換えを制御する。
【００４８】
例えば、ユーザが、所定の電子マネー（第３の電子マネーアプリケーション）による電子マネー決済を選択したい場合、情報記憶媒体２をリーダライタ１４に対して所定回数タッチすると（情報記憶媒体２をリーダライタ１４に対して所定時間未満のかざし動作と離す動作を所定回数繰り返すと）、所定の電子マネー決済可能である旨が表示される。この後、情報記憶媒体２をリーダライタ１４に対して所定時間以上かざし続けることにより所定の電子マネーによる電子マネー決済を実行することができる。このようにして複数のアプリケーションの中から所望のアプリケーションを簡単に選択することができる。
【００４９】
また、端末１の制御部１１が、リーダライタ１４が情報記憶媒体２から読み取った情報（通信結果）から、情報記憶媒体２が対応可能な電子マネーアプリケーションの種類を検出し、検出結果に応じて電子マネーアプリケーションを選択することもできる。
【００５０】
例えば、情報記憶媒体２が上記した第１、第２、第３、第４の電子マネーアプリケーションの何れにも対応可能な場合には、端末１の制御部１１は、図５に示すように第１、第２、第３、第４の電子マネーアプリケーションを順に切り換え制御する。
【００５１】
また、情報記憶媒体２が上記した第２、第３、第４の電子マネーアプリケーションに対応可能な場合には、つまり第１の電子マネーアプリケーションに対応不能な場合には、端末１の制御部１１は、第２、第３、第４の電子マネーアプリケーションを順に切り換え制御する。即ち、端末１の制御部１１は、図５に示すＳＴ２〜ＳＴ３を省略して、第２、第３、第４の電子マネーアプリケーションを順に切り換え制御する。
【００５２】
また、情報記憶媒体２が上記した第３、第４の電子マネーアプリケーションに対応可能な場合には、つまり第１、第２の電子マネーアプリケーションに対応不能な場合には、端末１の制御部１１は、第３、第４の電子マネーアプリケーションを順に切り換え制御する。即ち、端末１の制御部１１は、図５に示すＳＴ２〜ＳＴ５を省略して、第３、第４の電子マネーアプリケーションを順に切り換え制御する。
【００５３】
また、情報記憶媒体２が上記した第４の電子マネーアプリケーションに対応可能な場合には、つまり第１、第２、第３の電子マネーアプリケーションに対応不能な場合には、端末１の制御部１１は、第４の電子マネーアプリケーションを選択する。即ち、端末１の制御部１１は、図５に示すＳＴ２〜ＳＴ７を省略して、第４の電子マネーアプリケーションを選択する。
【００５４】
以上により、車両の運転手等は、携帯電話（情報記憶媒体）等のボタン操作無しで、またリーダライタ等のボタン操作無しで、所望の電子マネーアプリケーションを選択することができる。つまり、リーダライタに対して携帯電話（情報記憶媒体）等をかざす時間で所望の電子マネーアプリケーションを選択することができ、所望の電子マネーアプリケーションで通行料等を精算することができる。
【００５５】
なお、上記説明では、通信時間に応じて電子マネーアプリケーションを切り換え制御するケースについて説明したが、例えば、リーダライタ１４に対してかざされる情報記憶媒体２を検出するセンサを設け、このセンサによる情報記憶媒体の検知をトリガとして電子マネーアプリケーションの切り換えを制御するようにしてもよい。例えば、第１の電子マネー（第１の電子マネーアプリケーション）により電子マネー決済可能である旨の表示中に、所定時間以上の間、情報記憶媒体２が検出され続けた場合には、第１の電子マネー（第１の電子マネーアプリケーション）を選択（確定）し、所定時間以上の間、情報記憶媒体２が検出され続けなかった場合には、第２の電子マネー（第２の電子マネーアプリケーション）により電子マネー決済可能である旨の表示に切り換える。
【００５６】
また、上記説明では、ボタン操作無しで、情報記憶媒体との通信時間に応じて所望の電子マネーを選択（確定）する端末１について説明したが、所望の電子マネーを選択（確定）させる際には、ボタン操作を必要とする構成の端末１であってもよい。つまり、通信時間に応じて決済候補の電子マネーアプリケーションを切り換えるが、最終的に、電子マネーアプリケーションを選択（確定）する場合にはボタン操作を必要とする構成の端末１であってもよい。
【００５７】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００５８】
１…端末、２…情報記憶媒体、１１…制御部、１２…表示部、１３…キーボード、１４…リーダライタ、１５…テンキー、２１…通信Ｉ／Ｆ部、２２…制御部、２３…ＲＡＭ、２４…ＲＯＭ、２５…不揮発性メモリ
【図１】
2011197958.tif 000003
【図２】
2011197958.tif 000004
【図３】
2011197958.tif 000005
【図４】
2011197958.tif 000006
【図５】
2011197958.tif 000007